(57)【要約】      （修正有）【課題】人に有害な活性酸素を除くプラチナを腕輪、首ネックレスの中に含有させ、それを腕、首等に付ける事により人の健康を促すと共に製作コスト、使い安さ等をも考慮した健康ベルトを提供する。【解決手段】紐とその両端に設けられた連結手段とからなり、リング状に連結することができる健康リング１において、紐３は少なくともその一部が超微細粒子に加工されたプラチナを含有する繊維から構成されているプラチナ入り健康リング。この健康リングにおいて、紐を超微細粒子に加工されたプラチナを含有する綿素材の紐を幾重にも編んだ縄状の形状とするか、紐はプラチナ以外の一種以上の無機物を含有する弾性体と、該弾性体を覆う超微細粒子に加工されたプラチナを含有する繊維とから構成させたものとする。【選択図】図１
0003133706.tif 000002
【実用新案登録請求の範囲】
【請求項１】
紐とその両端に設けられた連結手段とからなり、リング状に連結することができる健康リングにおいて、該紐は少なくともその一部が超微細粒子に加工されたプラチナを含有する繊維から構成されることを特徴とするプラチナ入り健康リング
【請求項２】
請求項１に記載の健康リングにおいて、紐は超微細粒子に加工されたプラチナを含有する綿素材の糸を編んだ帯または縄状の形状であって、両端の連結手段は、一方の端部に綿素材の糸からなる小さな輪が設けられ、他方の端部の糸を通し結ぶことのできるものであることを特徴とするプラチナ入り健康リング
【請求項３】
請求項１に記載の健康リングにおいて、紐は少なくとも一種以上の無機物を含有する弾性体と、該弾性体を覆う超微粒子に加工されたプラチナを含有する繊維とからなり、該紐の両端に雄、雌の連結具が取り付けられていることを特徴とするプラチナ入り健康リング
【請求項４】
請求項３に記載の健康リングにおいて、弾性体は内部が空洞のチューブ状弾性体であって、空洞内に少なくとも一種以上の無機物が充填されていることを特徴とするプラチナ入り健康ベルト
【請求項５】
請求項３〜４のいずれかに記載の健康リングにおいて、無機物はゲルマニウム及びその化合物、チタン及びその化合物、トルマリン、モナザイトから選ばれた一種または二種以上であることを特徴とするプラチナ入り健康リング
【請求項６】
請求項３〜５のいずれかに記載の健康リングにおいて、弾性体はシリコンゴムであることを特徴とするプラチナ入り健康ベルト
【考案の詳細な説明】
【技術分野】
【０００１】
本考案は、手足や首などに使用するプラチナ素材入り健康リングに関する。
【背景技術】
【０００２】
血行促進、代謝促進のため、チタン素材、ゲルマニウム素材が注目されている。これら素材は血行促進、鎮静、吸熱などの作用を有する。そして、これらの作用は、これら素材が皮膚と直接接触しない場合でも有効とされている（特許文献1：実録３０４５８３５）（特許文献2：実登３０９１９３８）。
【０００３】
従来、これら無機化合物を手足や首などに巻き付けて使用するリングに応用しようとする試みがなされている。今までに色々な無機素材が含有され色々な形の形態で利用されている（特許文献3：実登３１０８８８４）。近年注目されている金属があり、それは微量にて健康に貢献するため、本考案は、それを腕輪、ネックレスに含有させ、健康に寄与させようとするものである。この金属は遷移金属ナノコロイドとも呼ばれ、プラチナ（白金）をナノメートル（10億分の1メートル）スケールの超微細粒子に加工し、保護剤を使用して溶液にしたもので、プラチナ(白金)ナノコロイドとも称される。この金属の作用機構は健康に悪影響を与える活性酸素を除去することにある。
【０００４】
本考案は活性酸素を取り除くプラチナ金属を腕輪（ブレスレット、ミサンガなど）やネックレスなどの形で身に付ける事で、ストレスや紫外線を浴びるなどして体内に発生する活性酸素を除去しようとするものである。
【特許文献１】：実登３０４５８３５号公報
【特許文献２】：実登３０９１９３８号公報
【特許文献３】：実登３１０８８８４号公報
【考案の開示】
【考案が解決しようとする課題】
【０００５】
本考案の解決しようとする課題は、健康に貢献する超微粒子のプラチナを簡単で手軽に、かつ安価な方法で身に付ける手段を提供しようとするものである。
【課題を解決するための手段】
【０００６】
本考案者は上記課題を達成すべく鋭意検討した結果、紐とその両端に設けられた連結手段とからなり、リング状に連結することができる健康リングにおいて、該紐は少なくともその一部が超微細粒子に加工されたプラチナを含有する繊維から構成されることを特徴とするプラチナ入り健康リングを考案した。この健康リングの紐の素材や形状により、腕や手首につける腕輪としたり、ネックレスとしたりすることができるものである。
【０００７】
紐の素材形状の一つは全てが繊維で構成されるもので、綿素材からなる細い糸を幾重にも編んで帯状もしくは太い縄状にした紐に健康増進を促す超微細粒子に加工されたプラチナが綿素材100gあたり、10〜500マイクログラム（μg）、好ましくは40〜250マイクログラム（μg）含有されているものである。形状は綿を幾重にも編んで作成した紐腕輪で、連結部は特別連結具を必要とせず、両端の一方に他方の帯紐端を通すための凡そ2.5ｃｍ位の小さな輪を作り使用時はそこの輪に他方の端を入れて結んで使用する形状となっているものである。本形状にて作成された健康リングにはプラチナ素材以外に無機素材は含まれていない。綿素材以外の繊維を同様にして使用することも可能である。
【０００８】
他の紐の素材形状は首に利用するネックレスとするのに好適なもので、この製品の形はリングネックレスの形をしており、この紐には超微細粒子に加工されたプラチナ以外にゲルマニュウム素材、チタン素材などの無機物を混合して粒状としたものが入っており、その他にトルマリン、モナザイト、シリコン、ナイロンファイバーも加えられている構造をしたリングネックレスの健康リングである。長さの調整によりブレスレットなどにも応用できる。
【０００９】
この紐はプラチナ以外の少なくとも一種以上の無機物を含有するゴム等の弾性体の表面を超微細粒子に加工されたプラチナを含有する繊維で覆った構造である。プラチナ以外の無機物はゴム等の弾性材料に練り込んだ後、紐状弾性体に成形するか、内部が空洞のチューブ状弾性体の空洞中に無機物を充填し、プラチナは弾性体の表面を覆う繊維に含有させた構造をしている。この紐の繊維に含まれているプラチナの含有量は繊維100gあたり、10〜500マイクログラム（μg）、好ましくは40〜250マイクログラム（μg）含有されている。この紐からなる健康リングの形状は首に付けるネックレスに好適なものである。
【００１０】
この健康リングにおいては紐の両方の先端に連結具の雄具、雌具が取り付けられており、ベルト部材を簡単にリング状に連結することができるためネックレスには好適なプラチナ入りリングネックレス健康リングとなるものである。
【００１１】
以上のべた何れの形態の健康リングも、紐の構成部材である繊維に超微細粒子に加工されたプラチナを含有させたものである。超微細粒子に加工されたプラチナを繊維に含有させるには、繊維を帯や縄状に編んだり、弾性体を覆う布や編物としたりした後に、プラチナナノコロイド液で処理し含有させても良いし、編んだり織ったりする前の糸を処理し、プラチナを含有させても良い。
【考案の効果】
【００１２】
本考案による効果は、含有する超微細粒子に加工されたプラチナによる活性酸素の除去による健康促進のほか、
１）紐が綿素材を編んだ形状の場合には、
a）付けていて肌触りが良い、且つ非常に軽く、付けていても違和感がない。
b）他の素材による連結具の必要がないので簡単かつ安価に出来る。
2）弾性体にプラチナに加えてチタン、ゲルマニウムなど他の無機材料を併用して、含有させる場合には、
a）チタン鉱物の効果により、血行促進、代謝促進などの効果が期待される。
b）ゲルマニウムの効果により自律神経の調整などの効果が期待される。
c）弾性材料として皮膚のアレルギーを起こさないシリコンゴムが使用でき、また使用するプラチナの量が非常に微量である為安価に出来る。
などの効果が得られる。
【考案を実施するための最良の形態】
【００１３】
以下、本考案の実施の最良の形態について説明するが本考案は以下の実施の形態に限定されるものではなく、本考案の趣旨を逸脱しない範囲で、当業者の通常の知識に基づいて以下の実施の形態に対し適宜変更、改良等が加えられたものも本発明の範囲に入ることを理解されたい。
【００１４】
本考案に用いる超微細粒子に加工されたプラチナは健康に悪影響を与える活性酸素を除去する事が知られている。本考案はこれを利用した製品作りにある。本考案の実施の形態である紐状腕輪健康リングの形について最初に説明し、続いてネックレスに好適な健康リングの形について記載する。
【００１５】
本考案の紐状プラチナ入り健康リングによれば、綿100％の細い糸を長さ凡そ15ｃｍの網目状に織り、両端の片一方をもう一方の端糸を通す為に直径2.5ｃｍ位の輪を作りそこに一方の端を通して結び手首や腕に巻きつける形態であり、超微細粒子に加工されたプラチナは綿素材を紐に織る前に含有させても、紐に織った後に含有させても良い。ここで長さは15ｃｍを標準に記載したが、随時、人の手首や腕の太さなどに合わせて変更も出来る。
【００１６】
本考案による他の実施形態、リングネックレスプラチナ入り健康リングの形状について説明する。プラチナ以外に、中に含まれる素材としてゲルマニウム及びその化合物、チタンおよびその化合物が用いられ、それ以外の素材としてトルマリン、モナザイト、シリコン、ナイロンファイバーがさらに追加添加される。
【００１７】
本形態では、プラチナ以外に、チタン及びその化合物、ゲルマニウム及びその化合物、トルマリン、モナザイト、シリコンから選ばれた少なくとも一種以上の無機物が使用される。その他、ナイロンファイバーも加えられる。
【００１８】
本考案に使用するプラチナ素材は遷移金属ナノコロイドと言われプラチナナノコロイドの形で利用される。遷移金属ナノコロイドは白金（プラチナ）をナノメーター（nm、10億分の1メートル）スケールの超微細粒子に加工し保護剤を使用して溶液にしたものであり、粒子の大きさは1〜数ナノメーター（nm）である。遷移金属ナノコロイドの中の一種であるプラチナナノコロイドは食品や化粧品などにも広く利用されている。
【００１９】
本考案によるチタン及びその化合物としては、金属チタンあるいはチタンを含有するチタン化合物、チタン合金である。チタン化合物としては、酸化チタン、炭化チタン、窒化チタンなどである。チタン合金としては、銅、スズ、鉄、アルミニウム、クロム、コバルト、モリブデン、タングステンなどの金属とチタンの合金をあげることができる。
そして、これらのチタン系素材は、好ましくは、粒子の型で使用される。ゴムなどとの混合が容易になるからである。 
【００２０】
本考案で用いるゲルマニウム及びその化合物としては、ゲルマニウム、酸化ゲルマニウム、ゲルマニウムを化合物の形で含有するゲルマニウム鉱物などである。
【００２１】
本考案では、ゲルマニウム及びその化合物、チタン及びその化合物とトルマリンを併用することができる。トルマリンは、別名電気石といわれ主成分として、Al、Ｂ、Siを有する。
【００２２】
本考案では、ゲルマニウム及びその化合物、チタン及びその化合物と、モナザイトを併用することができる。モナザイトは、トリウム鉱石の一種で、花崗岩ペグマタイト（巨晶）中に産出する。また本考案では、そのほかリン酸カルシウムなどのバイオセラミックスを併用することもできる。
【００２３】
本考案で弾性体に使用される弾性材料としては、ゴムをあげることができる。ゴムとしては、シリコンゴム、ウレタンゴム、ブチルゴム、アクリルゴム、スチレン-ブタジエンゴムなどの合成ゴム、天然ゴムなどをあげることができる。しかし、肌に対する刺激が少ないこと成形性が良好なことなどからシリコンゴムが好ましい。また着色やつや消しのため、有機、無機顔料を添加することができる。つや消しを行ったり、緑、ピンクなどに着色したりして商品価値を高めるためである。また弾性材料製造のため、原料として架橋剤が使用される。これら架橋剤としては、含硫黄有機化合物、有機過酸化物などをあげることができる。
【００２４】
本考案のプラチナ、チタン及びその化合物、ゲルマニウム及びその化合物、トリマリン、モナザイト、シリコン、ナイロンファイバー素材入りリングネックレス健康リングは簡易な接合具で紐を容易に接合でき、リング状とすることが出来、コストダウンが容易である。なお、本考案のプラチナ、チタン、ゲルマニウム等の素材入り健康リングでは弾性体を繊維で覆う構造であり、ここで使用する繊維としては、ポリエステル繊維、ナイロン６繊維、ナイロン66繊維、アクリル繊維などの合成繊維、キュプラ、レーヨン、アセテートなどの再生繊維、木綿、麻、絹、羊毛などの天然繊維などをあげることができる。また、またチタン、ゲルマニウム素材などの入った弾性体を覆う繊維製品は、編物が好ましく、特に伸縮性に優れたゴム編み、幅方向に伸縮性が大きい横網が好ましい。
【００２５】
本考案の健康リングは超微細粒子に加工されたプラチナ以外の、チタン系素材やゲルマニウム系素材などから選ばれる少なくとも一種以上の金属無機物は、弾性材料の内部にあり、弾性体の表面にはほとんど出ていないし、さらにその表面が繊維に覆われている。超微細粒子に加工されたプラチナは弾性体表面を覆う繊維に含有される。このためプラチナ、チタン、ゲルマニウム系素材入り健康リングとして使用されたとき、内部にあるプラチナ以外の金属無機物により皮膚が刺激されることがなくアレルギーなどの危険性がより少ない。
【００２６】
本考案のプラチナ、チタン、ゲルマニウム系素材入り健康リングの紐を作成する方法としては、弾性材料を内部が空洞のチューブの形態に作成後、チタン、ゲルマニウム系素材等の素材を球状に成形して空洞内に充填するか、弾性材料とチタン、ゲルマニウム系素材等の素材とを混合して混合物とした後、帯紐の形態に個々に金型を利用して成形する方法がある。本考案のネックレスベルトの基本構造はシリコンなどの弾性材料の中にプラチナ以外の色々な素材が入っていて、その外部を超微細粒子に加工されたプラチナを含有する繊維で包みこんだ構造のプラチナ入り健康リングである。
【００２７】
そしてチタン、ゲルマニウム、プラチナ素材入りリングネックレス健康リングの大きさは、首の大きさよりやや大きめにする。首に着用したとき締め付けないためである。なお、二重、三重にして、首に着用するときはリングの大きさは、首の大きさの二倍、三倍よりやや大きめにする（なお本文中、リングネックレスプラチナ素材入り健康リングにおいて中に含まれる、素材はチタン、ゲルマニュウム、プラチナ以外にトルマリン、モナザイト、シリコン、ナイロンファイバー等を使用するが、主素材としてチタン、ゲルマニュウム、プラチナ素材が健康に対して主成分であるので、随時トルマリン、シリコン、ナイロンファイバー等は省略した場合もある事を明記しておきたい）。
【００２８】
次に本実施形態の実施例の更なる詳細について、図面を参照しつつ説明する。
【実施例】
【００２９】
以下、本考案を実施例に基づいて具体的に説明するが、本考案はこれらの実施例に限定されるものではない。
【００３０】
プラチナ入り健康リング
【００３１】
（実施例１）
プラチナ入り腕輪健康リング    
本考案において使用する紐状腕輪健康リングは、図１に示される如く1本の帯紐状になっているが、実際に使用する時は両端の一方２に他方の端３を入れ込む構造になっており、両端を結んで輪を作りそれを手首や腕に嵌め腕輪の形で利用する構造になっている。
【００３２】
本考案の該健康リングの紐に含まれるプラチナ含有量は繊維100gあたり約150μgで、その他の金属類は含まない。連結部は図１に示される如く連結具を必要とせず、両端の内の一方２に小さな輪（径凡そ2cm）を作り他方の先端３を入れて結ぶ形を取っている、この輪の大きさは人によって手首や腕の太さが違うのでその人にあった大きさであればよい、特に決まったものではなく適宜変更される。
【００３３】
図１に示した如く、本考案による腕輪に用いられる素材は綿である、その細い綿を幾重に編んで縄状の構造をしたものである。プラチナを含有させるには綿素材をプラチナナノコロイド溶液に浸漬し、プラチナコロイドを含浸させて後乾燥して行うことが出来る。続いてプラチナ素材入り健康リングにおける第二の実施形態としてのリングネックレス健康リングについて図を用いて説明する。
【００３４】
（実施例２）
プラチナ入りリングネックレス健康リング
本発明におけるリングネックレス健康リングの全体図は図２に示されている。
本発明による健康リングは前記実施例１の腕輪健康リングと異なり色々な無機素材が粒状にされ紐素材の弾性体の中に入っている、その作り方は先ず初めにその組成の原料を配合し球状に成形する所から始まりその原料は下記のものである。
【００３５】
ゲルマニウム        1.5重量％
チタン              1.0重量％
トリマリン          2.0重量％
モナザイト          0.5重量％
シリコン           35.0重量％
ナイロンファイバー 60.0重量％
【００３６】
続いてこの混合物素材100gと結合剤としてのエポキシ樹脂100gとを混合し、まず紐状にしたのち切断し、更に球状に成形後、硬化させて一種類以上の無機物を有する外径2.8mmの球状の成型物を作成する。ここまでを第一段階として、次に第二段階として該成型物を高分子材料ゴムに充填する工程である。
【００３７】
図３において、超微細粒子に加工されたプラチナを含有する繊維層１５で覆われた、内径3.0mmの中空部１４を有する外径6.0mmのシリコンゴムからなる弾性体チューブ１２を用意し、前記球状の成型物１３を充填する。繊維層１５で覆われたシリコンゴムからなるチューブの両端を図２の８の如く雌具、雄具を通す為の輪を作る。輪の先即ち結び目９は紐で縛られ、それが外れないように更に四角の立方体のゴムで出来た１０で固定される。図２に示すように雄型連結具７と雌型連結具６は前記作成の輪８に装着されている。図５に示すように雌型連結具６の内壁１９は、付勢により内壁の入り口２０は少し狭くなっている。しかし雄型連結具７の先端２１が嵌めこまれる時は雌型連結具の入り口２０は拡がり、図６に示したように嵌合するのである。
【００３８】
超微細粒子に加工されたプラチナの繊維層における含有量は繊維100gあたり約100μgである。繊維層にプラチナを含有させるには繊維層を形成する編み物にプラチナコロイドを含浸させることで行うことが出来る。
【００３９】
（実施例３）
本実施例は実施例２における無機素材を粒状にして、弾性体チューブの中空部に充填する代わりに、無機素材混合物を粉砕細粒化してシリコンゴムに配合するものである。
ゲルマニウム等を含有する紐状弾性体形成のため、次の組成の原料を配合する。
未加硫のシリコン生ゴム            91.2重量％
シリコンゴム硬化剤                 0.2重量％
ゲルマニウム                       4.4重量％
チタン                             1.0重量％
トリマリン                         1.0重量％
モナザイト                         2.2重量％
を混合し、弾性体原料組成物を作成する。
【００４０】
次に、紐状に形成するための管状金型に上記組成物を流し込み加硫処理して、ゲルマニウムなどの無機物を含有する直径4mmのシリコンゴム紐を作成する。次に、ナイロン糸で編んだ内径約4mmの筒状編み物をプラチナナノコロイド溶液で処理して、超微細粒子に加工されたプラチナを繊維100gあたり約100μg含有させた。この編み物で、シリコン紐を覆う。図４にこの断面図を模式的に示す。１６がシリコン紐で、１７が無機素材で、１８が超微細粒子に加工されたプラチナを含有する繊維編み物である。
【００４１】
図１は、第一実施形態のプラチナだけが入った腕輪健康リングの全体図である。図２は、プラチナ、チタン、ゲルマニウム素材等が入った第二実施形態のネックレス健康リングの全体図であり、図３および図４は、プラチナ、チタン、ゲルマニウム素材が入ったネックレス健康リングの断面図である。図３は超微細粒子に加工されたプラチナを含有する繊維層１５で覆われた弾性体チューブ１２の空洞部１４には無機素材球状体１３が入っており、図４は超微細粒子に加工されたプラチナを含有する繊維層１８で覆われた弾性体紐１６にプラチナ、チタン・ゲルマニウム素材が混合されている状態を模式的に示している。
【産業上の利用可能性】
【００４２】
本考案は手足、首、などに巻きつけて健康を図るベルト装飾産業に手軽に利用される。
【図面の簡単な説明】
【００４３】
【図１】本考案におけるプラチナ入り腕輪健康リングの全体図
【図２】本考案におけるプラチナ入りリングネックレス健康リングの全体図
【図３】本考案におけるプラチナ入りリングネックレスの健康リングの断面図
【図４】本考案におけるプラチナ入りリングネックレスの健康リングの断面図
【図５】本考案におけるプラチナ入りリングネックレス連結具の連結前の断面図
【図６】本考案におけるプラチナ入りリングネックレス連結具の連結後の断面図
【符号の説明】
【００４４】
1.本考案におけるプラチナ入り腕輪健康リングの全体図
2.腕輪先端輪
3.腕輪結び紐
4.超微細粒子に加工されたプラチナを含有する腕輪帯紐
5.本考案におけるプラチナ、ゲルマニウム、チタン入りリングネックレスの健康リングの全体図
6.ネックレス雌型連結具
7.ネックレス雄型連結具
8.連結具を通すベルト輪
9.ベルト輪結び目
10.結び目を固定する四角の立方体ゴム
1１.超微細粒子に加工されたプラチナを含有する繊維で覆われた弾性体リング
12.弾性体チューブ
13.ネックレスの中の無機素材球状体
14.ネックレスチューブ中空部
15.ネックレスチューブを覆う超微細粒子に加工されたプラチナを含有する繊維層
16.ネックレス弾性体紐
17.ネックレス弾性体紐中の無機素材
18.ネックレス弾性体紐を覆う超微細粒子に加工されたプラチナを含有する繊維層
19.ネックレス雌型連結具内壁
20.ネックレス雌型連結具入り口
21.ネックレス雄型連結具先
【図１】
0003133706.tif 000003
【図２】
0003133706.tif 000004
【図３】
0003133706.tif 000005
【図４】
0003133706.tif 000006
【図５】
0003133706.tif 000007
【図６】
0003133706.tif 000008
【手続補正書】
【提出日】平成19年5月14日(2007.5.14)
【手続補正１】
【補正対象書類名】実用新案登録請求の範囲
【補正対象項目名】請求項４
【補正方法】変更
【補正の内容】
【請求項４】
請求項３に記載の健康リングにおいて、弾性体は内部が空洞のチューブ状弾性体であって、空洞内に少なくとも一種以上の無機物が充填されていることを特徴とするプラチナ入り健康リング
【手続補正２】
【補正対象書類名】実用新案登録請求の範囲
【補正対象項目名】請求項６
【補正方法】変更
【補正の内容】
【請求項６】
請求項３〜５のいずれかに記載の健康リングにおいて、弾性体はシリコンゴムであることを特徴とするプラチナ入り健康リング
【手続補正３】
【補正対象書類名】明細書
【補正対象項目名】全文
【補正方法】変更
【補正の内容】
【考案の詳細な説明】
【技術分野】
【０００１】
本考案は、手足や首などに使用するプラチナ素材入り健康リングに関する。
【背景技術】
【０００２】
血行促進、代謝促進のため、チタン素材、ゲルマニウム素材が注目されている。これら素材は血行促進、鎮静、吸熱などの作用を有する。そして、これらの作用は、これら素材が皮膚と直接接触しない場合でも有効とされている（特許文献1：実録３０４５８３５）（特許文献2：実登３０９１９３８）。
【０００３】
従来、これら無機化合物を手足や首などに巻き付けて使用するリングに応用しようとする試みがなされている。今までに色々な無機素材が含有され色々な形の形態で利用されている（特許文献3：実登３１０８８８４）。近年注目されている金属があり、それは微量にて健康に貢献するため、本考案は、それを腕輪、ネックレスに含有させ、健康に寄与させようとするものである。この金属は遷移金属ナノコロイドとも呼ばれ、プラチナ（白金）をナノメートル（10億分の1メートル）スケールの超微細粒子に加工し、保護剤を使用して溶液にしたもので、プラチナ(白金)ナノコロイドとも称される。この金属の作用機構は健康に悪影響を与える活性酸素を除去することにある。
【０００４】
本考案は活性酸素を取り除くプラチナ金属を腕輪（ブレスレット、ミサンガなど）やネックレスなどの形で身に付ける事で、ストレスや紫外線を浴びるなどして体内に発生する活性酸素を除去しようとするものである。
【特許文献１】：実登３０４５８３５号公報
【特許文献２】：実登３０９１９３８号公報
【特許文献３】：実登３１０８８８４号公報
【考案の開示】
【考案が解決しようとする課題】
【０００５】
本考案の解決しようとする課題は、健康に貢献する超微粒子のプラチナを簡単で手軽に、かつ安価な方法で身に付ける手段を提供しようとするものである。
【課題を解決するための手段】
【０００６】
本考案者は上記課題を達成すべく鋭意検討した結果、紐とその両端に設けられた連結手段とからなり、リング状に連結することができる健康リングにおいて、該紐は少なくともその一部が超微細粒子に加工されたプラチナを含有する繊維から構成されることを特徴とするプラチナ入り健康リングを考案した。この健康リングの紐の素材や形状により、腕や手首につける腕輪としたり、ネックレスとしたりすることができるものである。
【０００７】
紐の素材形状の一つは全てが繊維で構成されるもので、綿素材からなる細い糸を幾重にも編んで帯状もしくは太い縄状にした紐に健康増進を促す超微細粒子に加工されたプラチナが綿素材100gあたり、10〜500マイクログラム（μg）、好ましくは40〜250マイクログラム（μg）含有されているものである。形状は綿を幾重にも編んで作成した紐腕輪で、連結部は特別連結具を必要とせず、両端の一方に他方の帯紐端を通すための凡そ2.5ｃｍ位の小さな輪を作り使用時はそこの輪に他方の端を入れて結んで使用する形状となっているものである。本形状にて作成された健康リングにはプラチナ素材以外に無機素材は含まれていない。綿素材以外の繊維を同様にして使用することも可能である。
【０００８】
他の紐の素材形状は首に利用するネックレスとするのに好適なもので、この製品の形はリングネックレスの形をしており、この紐には超微細粒子に加工されたプラチナ以外にゲルマニュウム素材、チタン素材などの無機物を混合して粒状としたものが入っており、その他にトルマリン、モナザイト、シリコン、ナイロンファイバーも加えられている構造をしたリングネックレスの健康リングである。長さの調整によりブレスレットなどにも応用できる。
【０００９】
この紐はプラチナ以外の少なくとも一種以上の無機物を含有するゴム等の弾性体の表面を超微細粒子に加工されたプラチナを含有する繊維で覆った構造である。プラチナ以外の無機物はゴム等の弾性材料に練り込んだ後、紐状弾性体に成形するか、内部が空洞のチューブ状弾性体の空洞中に無機物を充填し、プラチナは弾性体の表面を覆う繊維に含有させた構造をしている。この紐の繊維に含まれているプラチナの含有量は繊維100gあたり、10〜500マイクログラム（μg）、好ましくは40〜250マイクログラム（μg）含有されている。この紐からなる健康リングの形状は首に付けるネックレスに好適なものである。
【００１０】
この健康リングにおいては紐の両方の先端に連結具の雄具、雌具が取り付けられており、リング部材を簡単にリング状に連結することができるためネックレスには好適なプラチナ入りリングネックレス健康リングとなるものである。
【００１１】
以上のべた何れの形態の健康リングも、紐の構成部材である繊維に超微細粒子に加工されたプラチナを含有させたものである。超微細粒子に加工されたプラチナを繊維に含有させるには、繊維を帯や縄状に編んだり、弾性体を覆う布や編物としたりした後に、プラチナナノコロイド液で処理し含有させても良いし、編んだり織ったりする前の糸を処理し、プラチナを含有させても良い。
【考案の効果】
【００１２】
本考案による効果は、含有する超微細粒子に加工されたプラチナによる活性酸素の除去による健康促進のほか、
１）紐が綿素材を編んだ形状の場合には、
a）付けていて肌触りが良い、且つ非常に軽く、付けていても違和感がない。
b）他の素材による連結具の必要がないので簡単かつ安価に出来る。
2）弾性体にプラチナに加えてチタン、ゲルマニウムなど他の無機材料を併用して、含有させる場合には、
a）チタン鉱物の効果により、血行促進、代謝促進などの効果が期待される。
b）ゲルマニウムの効果により自律神経の調整などの効果が期待される。
c）弾性材料として皮膚のアレルギーを起こさないシリコンゴムが使用でき、また使用するプラチナの量が非常に微量である為安価に出来る。
などの効果が得られる。
【考案を実施するための最良の形態】
【００１３】
以下、本考案の実施の最良の形態について説明するが本考案は以下の実施の形態に限定されるものではなく、本考案の趣旨を逸脱しない範囲で、当業者の通常の知識に基づいて以下の実施の形態に対し適宜変更、改良等が加えられたものも本発明の範囲に入ることを理解されたい。
【００１４】
本考案に用いる超微細粒子に加工されたプラチナは健康に悪影響を与える活性酸素を除去する事が知られている。本考案はこれを利用した製品作りにある。本考案の実施の形態である紐状腕輪健康リングの形について最初に説明し、続いてネックレスに好適な健康リングの形について記載する。
【００１５】
本考案の紐状プラチナ入り健康リングによれば、綿100％の細い糸を長さ凡そ15ｃｍの網目状に織り、両端の片一方をもう一方の端糸を通す為に直径2.5ｃｍ位の輪を作りそこに一方の端を通して結び手首や腕に巻きつける形態であり、超微細粒子に加工されたプラチナは綿素材を紐に織る前に含有させても、紐に織った後に含有させても良い。ここで長さは15ｃｍを標準に記載したが、随時、人の手首や腕の太さなどに合わせて変更も出来る。
【００１６】
本考案による他の実施形態、リングネックレスプラチナ入り健康リングの形状について説明する。プラチナ以外に、中に含まれる素材としてゲルマニウム及びその化合物、チタンおよびその化合物が用いられ、それ以外の素材としてトルマリン、モナザイト、シリコン、ナイロンファイバーがさらに追加添加される。
【００１７】
本形態では、プラチナ以外に、チタン及びその化合物、ゲルマニウム及びその化合物、トルマリン、モナザイト、シリコンから選ばれた少なくとも一種以上の無機物が使用される。その他、ナイロンファイバーも加えられる。
【００１８】
本考案に使用するプラチナ素材は遷移金属ナノコロイドと言われプラチナナノコロイドの形で利用される。遷移金属ナノコロイドは白金（プラチナ）をナノメーター（nm、10億分の1メートル）スケールの超微細粒子に加工し保護剤を使用して溶液にしたものであり、粒子の大きさは1〜数ナノメーター（nm）である。遷移金属ナノコロイドの中の一種であるプラチナナノコロイドは食品や化粧品などにも広く利用されている。
【００１９】
本考案によるチタン及びその化合物としては、金属チタンあるいはチタンを含有するチタン化合物、チタン合金である。チタン化合物としては、酸化チタン、炭化チタン、窒化チタンなどである。チタン合金としては、銅、スズ、鉄、アルミニウム、クロム、コバルト、モリブデン、タングステンなどの金属とチタンの合金をあげることができる。
そして、これらのチタン系素材は、好ましくは、粒子の型で使用される。ゴムなどとの混合が容易になるからである。 
【００２０】
本考案で用いるゲルマニウム及びその化合物としては、ゲルマニウム、酸化ゲルマニウム、ゲルマニウムを化合物の形で含有するゲルマニウム鉱物などである。
【００２１】
本考案では、ゲルマニウム及びその化合物、チタン及びその化合物とトルマリンを併用することができる。トルマリンは、別名電気石といわれ主成分として、Al、Ｂ、Siを有する。
【００２２】
本考案では、ゲルマニウム及びその化合物、チタン及びその化合物と、モナザイトを併用することができる。モナザイトは、トリウム鉱石の一種で、花崗岩ペグマタイト（巨晶）中に産出する。また本考案では、そのほかリン酸カルシウムなどのバイオセラミックスを併用することもできる。
【００２３】
本考案で弾性体に使用される弾性材料としては、ゴムをあげることができる。ゴムとしては、シリコンゴム、ウレタンゴム、ブチルゴム、アクリルゴム、スチレン-ブタジエンゴムなどの合成ゴム、天然ゴムなどをあげることができる。しかし、肌に対する刺激が少ないこと成形性が良好なことなどからシリコンゴムが好ましい。また着色やつや消しのため、有機、無機顔料を添加することができる。つや消しを行ったり、緑、ピンクなどに着色したりして商品価値を高めるためである。また弾性材料製造のため、原料として架橋剤が使用される。これら架橋剤としては、含硫黄有機化合物、有機過酸化物などをあげることができる。
【００２４】
本考案のプラチナ、チタン及びその化合物、ゲルマニウム及びその化合物、トリマリン、モナザイト、シリコン、ナイロンファイバー素材入りリングネックレス健康リングは簡易な接合具で紐を容易に接合でき、リング状とすることが出来、コストダウンが容易である。なお、本考案のプラチナ、チタン、ゲルマニウム等の素材入り健康リングでは弾性体を繊維で覆う構造であり、ここで使用する繊維としては、ポリエステル繊維、ナイロン６繊維、ナイロン66繊維、アクリル繊維などの合成繊維、キュプラ、レーヨン、アセテートなどの再生繊維、木綿、麻、絹、羊毛などの天然繊維などをあげることができる。また、またチタン、ゲルマニウム素材などの入った弾性体を覆う繊維製品は、編物が好ましく、特に伸縮性に優れたゴム編み、幅方向に伸縮性が大きい横網が好ましい。
【００２５】
本考案の健康リングは超微細粒子に加工されたプラチナ以外の、チタン系素材やゲルマニウム系素材などから選ばれる少なくとも一種以上の金属無機物は、弾性材料の内部にあり、弾性体の表面にはほとんど出ていないし、さらにその表面が繊維に覆われている。超微細粒子に加工されたプラチナは弾性体表面を覆う繊維に含有される。このためプラチナ、チタン、ゲルマニウム系素材入り健康リングとして使用されたとき、内部にあるプラチナ以外の金属無機物により皮膚が刺激されることがなくアレルギーなどの危険性がより少ない。
【００２６】
本考案のプラチナ、チタン、ゲルマニウム系素材入り健康リングの紐を作成する方法としては、弾性材料を内部が空洞のチューブの形態に作成後、チタン、ゲルマニウム系素材等の素材を球状に成形して空洞内に充填するか、弾性材料とチタン、ゲルマニウム系素材等の素材とを混合して混合物とした後、帯紐の形態に個々に金型を利用して成形する方法がある。本考案のネックレスリングの基本構造はシリコンなどの弾性材料の中にプラチナ以外の色々な素材が入っていて、その外部を超微細粒子に加工されたプラチナを含有する繊維で包みこんだ構造のプラチナ入り健康リングである。
【００２７】
そしてチタン、ゲルマニウム、プラチナ素材入りリングネックレス健康リングの大きさは、首の大きさよりやや大きめにする。首に着用したとき締め付けないためである。なお、二重、三重にして、首に着用するときはリングの大きさは、首の大きさの二倍、三倍よりやや大きめにする（なお本文中、リングネックレスプラチナ素材入り健康リングにおいて中に含まれる、素材はチタン、ゲルマニュウム、プラチナ以外にトルマリン、モナザイト、シリコン、ナイロンファイバー等を使用するが、主素材としてチタン、ゲルマニュウム、プラチナ素材が健康に対して主成分であるので、随時トルマリン、シリコン、ナイロンファイバー等は省略した場合もある事を明記しておきたい）。
【００２８】
次に本実施形態の実施例の更なる詳細について、図面を参照しつつ説明する。
【実施例】
【００２９】
以下、本考案を実施例に基づいて具体的に説明するが、本考案はこれらの実施例に限定されるものではない。
【００３０】
プラチナ入り健康リング
【００３１】
（実施例１）
プラチナ入り腕輪健康リング    
本考案において使用する紐状腕輪健康リングは、図１に示される如く1本の帯紐状になっているが、実際に使用する時は両端の一方２に他方の端３を入れ込む構造になっており、両端を結んで輪を作りそれを手首や腕に嵌め腕輪の形で利用する構造になっている。
【００３２】
本考案の該健康リングの紐に含まれるプラチナ含有量は繊維100gあたり約150μgで、その他の金属類は含まない。連結部は図１に示される如く連結具を必要とせず、両端の内の一方２に小さな輪（径凡そ2cm）を作り他方の先端３を入れて結ぶ形を取っている、この輪の大きさは人によって手首や腕の太さが違うのでその人にあった大きさであればよい、特に決まったものではなく適宜変更される。
【００３３】
図１に示した如く、本考案による腕輪に用いられる素材は綿である、その細い綿を幾重に編んで縄状の構造をしたものである。プラチナを含有させるには綿素材をプラチナナノコロイド溶液に浸漬し、プラチナコロイドを含浸させて後乾燥して行うことが出来る。続いてプラチナ素材入り健康リングにおける第二の実施形態としてのリングネックレス健康リングについて図を用いて説明する。
【００３４】
（実施例２）
プラチナ入りリングネックレス健康リング
本発明におけるリングネックレス健康リングの全体図は図２に示されている。
本発明による健康リングは前記実施例１の腕輪健康リングと異なり色々な無機素材が粒状にされ紐素材の弾性体の中に入っている、その作り方は先ず初めにその組成の原料を配合し球状に成形する所から始まりその原料は下記のものである。
【００３５】
ゲルマニウム        1.5重量％
チタン              1.0重量％
トリマリン          2.0重量％
モナザイト          0.5重量％
シリコン           35.0重量％
ナイロンファイバー 60.0重量％
【００３６】
続いてこの混合物素材100gと結合剤としてのエポキシ樹脂100gとを混合し、まず紐状にしたのち切断し、更に球状に成形後、硬化させて一種類以上の無機物を有する外径2.8mmの球状の成型物を作成する。ここまでを第一段階として、次に第二段階として該成型物を高分子材料ゴムに充填する工程である。
【００３７】
図３において、超微細粒子に加工されたプラチナを含有する繊維層１５で覆われた、内径3.0mmの中空部１４を有する外径6.0mmのシリコンゴムからなる弾性体チューブ１２を用意し、前記球状の成型物１３を充填する。繊維層１５で覆われたシリコンゴムからなるチューブの両端を図２の８の如く雌具、雄具を通す為の輪を作る。輪の先即ち結び目９は紐で縛られ、それが外れないように更に四角の立方体のゴムで出来た１０で固定される。図２に示すように雄型連結具７と雌型連結具６は前記作成の輪８に装着されている。図５に示すように雌型連結具６の内壁１９は、付勢により内壁の入り口２０は少し狭くなっている。しかし雄型連結具７の先端２１が嵌めこまれる時は雌型連結具の入り口２０は拡がり、図６に示したように嵌合するのである。
【００３８】
超微細粒子に加工されたプラチナの繊維層における含有量は繊維100gあたり約100μgである。繊維層にプラチナを含有させるには繊維層を形成する編み物にプラチナコロイドを含浸させることで行うことが出来る。
【００３９】
（実施例３）
本実施例は実施例２における無機素材を粒状にして、弾性体チューブの中空部に充填する代わりに、無機素材混合物を粉砕細粒化してシリコンゴムに配合するものである。
ゲルマニウム等を含有する紐状弾性体形成のため、次の組成の原料を配合する。
未加硫のシリコン生ゴム            91.2重量％
シリコンゴム硬化剤                 0.2重量％
ゲルマニウム                       4.4重量％
チタン                             1.0重量％
トリマリン                         1.0重量％
モナザイト                         2.2重量％
を混合し、弾性体原料組成物を作成する。
【００４０】
次に、紐状に形成するための管状金型に上記組成物を流し込み加硫処理して、ゲルマニウムなどの無機物を含有する直径4mmのシリコンゴム紐を作成する。次に、ナイロン糸で編んだ内径約4mmの筒状編み物をプラチナナノコロイド溶液で処理して、超微細粒子に加工されたプラチナを繊維100gあたり約100μg含有させた。この編み物で、シリコン紐を覆う。図４にこの断面図を模式的に示す。１６がシリコン紐で、１７が無機素材で、１８が超微細粒子に加工されたプラチナを含有する繊維編み物である。
【００４１】
図１は、第一実施形態のプラチナだけが入った腕輪健康リングの全体図である。図２は、プラチナ、チタン、ゲルマニウム素材等が入った第二実施形態のネックレス健康リングの全体図であり、図３および図４は、プラチナ、チタン、ゲルマニウム素材が入ったネックレス健康リングの断面図である。図３は超微細粒子に加工されたプラチナを含有する繊維層１５で覆われた弾性体チューブ１２の空洞部１４には無機素材球状体１３が入っており、図４は超微細粒子に加工されたプラチナを含有する繊維層１８で覆われた弾性体紐１６にプラチナ、チタン・ゲルマニウム素材が混合されている状態を模式的に示している。
【産業上の利用可能性】
【００４２】
本考案は手足、首、などに巻きつけて健康を図るリング装飾産業に手軽に利用される。
【図面の簡単な説明】
【００４３】
【図１】本考案におけるプラチナ入り腕輪健康リングの全体図
【図２】本考案におけるプラチナ入りリングネックレス健康リングの全体図
【図３】本考案におけるプラチナ入りリングネックレスの健康リングの断面図
【図４】本考案におけるプラチナ入りリングネックレスの健康リングの断面図
【図５】本考案におけるプラチナ入りリングネックレス連結具の連結前の断面図
【図６】本考案におけるプラチナ入りリングネックレス連結具の連結後の断面図
【符号の説明】
【００４４】
1.本考案におけるプラチナ入り腕輪健康リングの全体図
2.腕輪先端輪
3.腕輪結び紐
4.超微細粒子に加工されたプラチナを含有する腕輪帯紐
5.本考案におけるプラチナ、ゲルマニウム、チタン入りリングネックレスの健康リングの全体図
6.ネックレス雌型連結具
7.ネックレス雄型連結具
8.連結具を通すリング輪
9.リング輪結び目
10.結び目を固定する四角の立方体ゴム
1１.超微細粒子に加工されたプラチナを含有する繊維で覆われた弾性体リング
12.弾性体チューブ
13.ネックレスの中の無機素材球状体
14.ネックレスチューブ中空部
15.ネックレスチューブを覆う超微細粒子に加工されたプラチナを含有する繊維層
16.ネックレス弾性体紐
17.ネックレス弾性体紐中の無機素材
18.ネックレス弾性体紐を覆う超微細粒子に加工されたプラチナを含有する繊維層
19.ネックレス雌型連結具内壁
20.ネックレス雌型連結具入り口
21.ネックレス雄型連結具先